(57)【特許請求の範囲】
【請求項１】
左右に立設した支柱間に、複数の横連結杆を架設し、上下方向に形成された複数の矩形枠の前後両面に、それぞれパネル材を取り付けてなる間仕切装置であって、
所定の矩形枠内に、少なくとも片側が透明な２枚の板状体を水密に対向させた水槽を装着し、
前記水槽を装着した矩形枠の前後両面に取り付けられたパネル材の少なくとも１つが、支柱の矩形枠内側面部に開閉可能に枢着されていることを特徴とする
間仕切装置。
【請求項２】
前後に設けられたパネル材のうち、少なくとも前又は後ろのいずれか一面のパネル材が、支柱の矩形枠内側面部に開閉可能に枢着されている、請求項１に記載の間仕切装置。
【請求項３】
前記水槽を、少なくとも水槽を装着した矩形枠を構成する下部の横連結杆に保持させて装着したものである、請求項１又は２に記載の間仕切装置。
【請求項４】
前記水槽を装着した矩形枠の前後両面のパネル材の、少なくともいずれか一方の周縁部に、不透光性の周縁枠を設けたものである、請求項１〜３いずれか１つに記載の間仕切装置。
【請求項５】
前記水槽を装着した矩形枠の前後両面のパネル材の、少なくともいずれか一方が、その前後から透視可能な窓部を有し、該窓部はパネル材の周縁部を残して空洞とすることにより形成されている、請求項１〜４いずれか１つに記載の間仕切装置。
【請求項６】
前記水槽の外部厚さが、前後両面のパネル材の外部厚さより小である、請求項１〜５いずれか１つに記載の間仕切装置。
【請求項７】
前記水槽を装着した矩形枠を構成する上部の横連結杆に、水槽内に投光されるように照明手段を配設したものである、請求項１〜６いずれか１つに記載の間仕切装置。
【請求項８】
前記水槽を装着した矩形枠の上方の矩形枠内を電源供給部及び設備室とし、
前記水槽を装着した矩形枠の下方の矩形枠内を水槽からの排水を貯留する排水貯留室としたものである、請求項１〜７いずれか１つに記載の間仕切装置。
【発明の詳細な説明】
【技術分野】
【０００１】
本発明は、間仕切装置に関する。
【背景技術】
【０００２】
間仕切装置は、各種形態のものが提案されている。これらの中でも、間仕切パネル装置は、現場における施工が比較的容易であることから、オフィスや会議室等の室内を仕切る間仕切装置として使用されている。
【０００３】
従来、壁の全体もしくは一部を水槽によって構成したもの（特許文献１参照）、薄型水槽を壁面又は間仕切等へ埋め込み、取り付けたもの（特許文献２参照）、水槽を主体とした間仕切装置（特許文献３、４及び５参照）が開示されている。
しかし、現場における施工性を重視する間仕切装置へ水槽を組み込んだものはなかった。
【０００４】
【特許文献１】実開平４−２４９０８号公報
【特許文献２】実開平５−９２６４号公報
【特許文献３】実新登２５０４７２６号公報
【特許文献４】特開平６−２００６４３号公報
【特許文献５】特開平７−９７８３１号公報
【発明の開示】
【発明が解決しようとする課題】
【０００５】
本発明は、施行現場において水槽を短時間で間仕切装置に組み付けることができ、かつ水槽の維持やメンテナンス等が容易な間仕切装置を提供することを目的とする。
【課題を解決するための手段】
【０００６】
本発明の上記課題は、以下の＜１＞に記載の手段により解決された。好ましい実施態様である＜２＞〜＜６＞と共に以下に記載する。
＜１＞  左右に立設した支柱間に、複数の横連結杆を架設し、上下方向に形成された複数の矩形枠の前後両面に、それぞれパネル材を取り付けてなる間仕切装置であって、所定の矩形枠内に、少なくとも片側が透明な２枚の板状体を水密に対向させた水槽を装着したことを特徴とする間仕切装置、
＜２＞  前記水槽を、少なくとも水槽を装着した矩形枠を構成する下部の横連結杆に保持させて装着したものである、上記＜１＞に記載の間仕切装置、
＜３＞  前記水槽を装着した矩形枠の前後両面のパネル材の、少なくともいずれか一方の周縁部に、不透光性の周縁枠を設けたものである、上記＜１＞又は上記＜２＞に記載の間仕切装置、
＜４＞  前記水槽の外部厚さが、前後両面のパネル材の外部厚さより小である、上記＜１＞〜上記＜３＞いずれか１つに記載の間仕切装置、
＜５＞  前記水槽を装着した矩形枠を構成する上部の横連結杆に、照明手段を配設したものである、上記＜１＞〜上記＜４＞いずれか１つに記載の間仕切装置、
＜６＞  前記水槽を装着した矩形枠の上方の矩形枠内を電源供給部及び設備室とし、前記水槽を装着した矩形枠の下方の矩形枠内を水槽からの排水を貯留する排水貯留室としたものである、上記＜１＞〜上記＜５＞いずれか１つに記載の間仕切装置。
【発明の効果】
【０００７】
上記＜１＞に記載の発明によれば、施行現場において、水槽を短時間で間仕切装置に組み付けることができた。また、従来の間仕切装置と基本構成が変わらないため、既存の間仕切装置と水槽を組み込んだ間仕切装置が並んでも、違和感がなく、見栄えをよくすることができた。
上記＜２＞に記載の発明によれば、本構成を有しない場合に比較して、より安定的に水槽を保持することができた。
上記＜３＞に記載の発明よれば、本構成を有しない場合に比較して、水槽に必要とされる配管等を外部から視認できないようにすることができ、美観が向上した。
上記＜４＞に記載の発明によれば、本構成を有していない場合に比して、既存の間仕切装置と水槽を組み込んだ間仕切装置が並んでも、違和感がなく、見栄えをよくすることができた。
上記＜５＞に記載の発明によれば、本構成を有していない場合に比して、水槽の美観を向上させることができた。
上記＜６＞に記載の発明によれば、本構成を有していない場合に比して、水槽の維持及びメンテナンス等を容易にすることができた。
【発明を実施するための最良の形態】
【０００８】
本発明の間仕切装置は、左右に立設した支柱間に、複数の横連結杆を架設し、上下方向に形成された複数の矩形枠の前後両面に、それぞれパネル材を取り付けてなる間仕切装置であって、所定の矩形枠内に、少なくとも片側が透明な２枚の板状体を水密に対向させた水槽を装着したことを特徴とする。
なお、本発明において「間仕切装置」とは、室内の空間を仕切るものに限定されず、空間を仕切ることを目的とせず、壁際や窓際に設置されて装飾性を付与するものであってもよい。
【０００９】
以下、図面を参照して、本発明を詳述する。なお、以下の説明において、同一の符号は同一の対象を意味するものである。
図１は、本発明の間仕切装置の一実施態様を示す斜視図である。図２は、図１において、パネル材を取り外した状態を示す分解斜視図である。また、図３は、本発明の間仕切装置の一実施態様を示す正面概念図である。
図１〜図３に示すように、本発明の間仕切装置１は、左右に立設した支柱２、２間に、複数の横連結杆３を架設して上下方向に複数の矩形枠４を形成し、この矩形枠４の前後両面に、それぞれパネル材５を取り付けて構成されている。
なお、パネル材は、全ての矩形枠にそれぞれ取り付けることが好ましいが、必ずしもこれに限定されるものではなく、例えば、最上部又は最下部の矩形枠の前後にはパネル材を取り付けず、素通しとすることもできる。本発明において、矩形枠の少なくとも１つの前後にそれぞれパネル取り付けていればよい。
【００１０】
図１では、２つの間仕切装置を横方向に連結している。なお、以降の説明においては、主として１つの間仕切装置（１対の支柱により形成されている間仕切装置）について説明するが、支柱及び横連結杆等を追加して、横方向に適宜の枚数を繋ぎ、所望の大きさの間仕切装置とできることはいうまでもない。さらに、本発明において、水槽を装着した間仕切装置と、水槽を装着していない間仕切装置を連結することもでき、また、図１に示すように、水槽を装着した間仕切装置同士を連結することもできる。
以下、説明の便宜上、開閉可能なパネル材（５ａ〜５ｃ）が取り付けられている面を前面とし、パネル材５ａ’〜５ｃ’が取り付けられている面を後面という。また、上下とは、天井乃至床の方向を指し、左右とは、支柱間の方向を意味する。
【００１１】
図４〜図７を参照して、左右に立設した支柱間に、複数の横連結杆を架設して上下方向に複数の矩形枠を形成する具体的手段の一例について説明する。
図４は、図１におけるＩ−Ｉ線拡大断面図を示す。また、図５は、図２における一点鎖線円IV部分の拡大組立断面図である。図６は、図２における一点鎖線円IV部分の拡大分解斜視図である。図７は、図２における一点鎖線円Ｖ部分の拡大分解斜視図である。
支柱２は、図４に示すように、床面６に配設された第１アジャスタ装置７と、天井８に配設された第２アジャスタ装置９とによって固定されている。
第１アジャスタ装置７は、床面６に配設されたベース部材１０上に載置されている。ベース部材１０は、左右方向に延びるとともに、断面が中央に高さの低い下向きコ字形の係合凸部１０ａを備える上向きコ字形のチャネル材からなっている。
【００１２】
第１アジャスタ装置７は、脚座１１と、アジャスタボルト１２と、受け具１３とより構成されている。脚座１１は、下向きコ字形部材に通孔１４を穿設して形成され、ベース部材１０内に、上方から嵌合して固定されている。
アジャスタボルト１２は、雄ねじ部１５と、その下部に設けられた外形が六角形をなす大径の操作部１６と、雄ねじ部１５の下端に連設された取付軸部１７とよりなる。アジャスタボルト１２は、その取付軸部１７を、脚座１１の通孔１４に貫通させて、その下端をかしめることにより、脚座１１に回転自在に取り付けられている。
【００１３】
受け具１３は、受板１８と支持部１９とよりなる。支持部１９は、側面が一部欠落した有天角筒状体からなり、この支持部１９を受板１８の上面における左右中央に固着して、受け具１３が形成されている。受け具１３における支持部１９の天板１９ａと、受板１８の中央には、それぞれねじ孔１９ｂ、１８ａが穿設されている。受け具１３は、前記ねじ孔１９ｂ、１８ａに、アジャスタボルト１２の雄ねじ部１５を、螺合させることにより、アジャスタボルト１２に取り付けられている。
【００１４】
図６に示すように、支柱２は、平面視において、ほぼ角形Ｓ字状の上下方向に延びる２個の鉄製部材を、開口部が左右方向の外向きになるように、かつ前後逆向きとなるようにして溶着し形成されている。また、支柱２の下端部は、前後方向の中央部が下端部から、切欠かれて切欠部（２ａ）が形成されている。
支柱２を、上方から、第１アジャスタ装置７における支持部１９に嵌合させることによって、支柱２の下端が、第１アジャスタ装置７によって位置固定されている。第１アジャスタ装置７における支持部１９とアジャスタボルト１２は、支柱２の前記切欠部２ａ内に入り込み、支柱２の下端は、受板１８の上面に当接し、支持されている。
【００１５】
第１アジャスタ装置７におけるアジャスタボルト１２の外形が六角形をなす操作部１６を、スパナ等で回転させることにより、受け具１３が上下動して支柱２の上下方向のレベルを調整することができる。
【００１６】
図４に示すように、支柱２の上端は、天井８に配設されている、前記第１アジャスタ装置７を天地逆にしたものと全く同一の第２アジャスタ装置９により、同様にして位置固定されている。
【００１７】
図２に示すように、本発明の間仕切装置１は、左右に立設した支柱２、２間には、複数の横連結杆３が架設されている。この横連結杆３には、支柱２、２の上端部同士を連結する上部連結杆２０と、下端部同士を連結する下部連結杆２１と、支柱２、２の上下方向の中央部同士を連結する中間連結杆２２とがある。図２では、２本の中間連結杆２２ａ及び２２ｂにより、上下方向に３つの矩形枠が形成されている。
【００１８】
図６を参照して、下部連結杆２１を支柱２に架設する構造の一実施態様について詳述する。
図６は、図２における一点鎖線円IV部分の拡大分解斜視図である。図６に示すように、下部連結杆２１は、その１対の係止片２３、２３を連結する横連結片２６の左右端部を、左右の各支柱２の下端を固定している第１アジャスタ装置７における受板１８上に載置して、止めねじ２７を、下部連結杆２１の左右端部に設けられた通孔２８を挿通して、前記受板１８に設けられたねじ孔１８ｂに螺合することによって、左右の支柱２、２の下端部間に架設されている。下部連結杆２１における前後面に設けられた各１対の係合片２４、２４には、下部連結杆２１とベース部材１０間の間隙を覆うカバー部材１０ｂ、１０ｂが着脱可能に取り付けられている。上部連結杆２０は、下部連結杆２１と同様にして、左右の支柱２、２の上端部間に架設されている。
【００１９】
図７を参照して、中間連結杆２２を支柱２に架設する構造の一実施態様について詳述する。
中間連結杆２２は、図７に示すように、チャネル材２９により形成されている。チャネル材２９は、左右方向に延びるとともに、断面が、下向きコ字形となっている。
中間連結杆２２は、取付金具３３を用いて左右の支柱２、２間に架設されている。図７では、取付金具３３は、Ｌ字状の部材であり、止めねじ３５、３５を、取付金具３３に設けられた通孔３６、３６を挿通して、支柱２に設けられたねじ孔３４、３４にそれぞれ螺合することにより、取付金具３３が支柱２に固定されている。
【００２０】
中間連結杆２２の左右端部を、取付金具３３上に載置し、上方より、止めねじ３７を、中間連結杆２２に設けられた通孔３８を挿通して、取付金具３３に設けられたねじ孔３９に螺合することにより、中間連結杆２２が左右の支柱２、２間に架設されている。
なお、本発明において、中間連結杆の架設はこれに限定されるものではなく、取付金具における係止部の上下向きの係止爪を、支柱に設けられたスリットに係合させることにより、取付金具を支柱に取り付ける方法（特開２００７−１６５２５号公報参照）など、公知の方法を適宜選択することができる。
【００２１】
なお、図４〜図７を用いて、左右に立設した支柱間に、複数の横連結杆を架設する方法の一実施態様について説明したが、本発明はこれに限定されるものではなく、公知の間仕切装置に使用されている構成を適宜選択して用いることができ、例えば、特開２００４−２７０３３１号公報、特開２００４−３１６１９１号公報、特許第３１１６２１０号公報に記載の方法を例示することができる。
【００２２】
図２では、中間連結杆２２は、上部連結杆２０と下部連結杆２１の間に、２つ設けられており、上下方向に３段の矩形枠４（４ａ、４ｂ、４ｃ）が形成されている。最下段の矩形枠４ａは、下部連結杆２１と、これに隣接する中間連結杆２２ａと、左右の支柱２、２とよりなり、中央の矩形枠４ｂは、上下方向の隣接する中間連結杆（２２ａ、２２ｂ）と、左右の支柱２、２とよりなり、最上段の矩形枠４ｃは、上部連結杆２０と、これに隣接する中間連結杆２２ｂと、左右の支柱２、２とよりなっている。
また、各矩形枠４の前後両面に、それぞれパネル材５が取り付けられている。
【００２３】
パネル材は前後の両面に取り付けられていればよく、透光材料、半透光又は不透光材料のいずれで形成することもできる。また、パネル材がその前後から透視可能な窓部を有していてもよい。
図２では、矩形枠４ａ及び４ｃに取り付けられたパネル材５ａ、５ａ’、５ｃ及び５ｃ’は不透光部材で形成されている。また、水槽が装着される矩形枠４ｂの前後に取り付けられるパネル材５ｂ及び５ｂ’は、透視可能な窓部５０、５０’を有している。
なお、図２では、窓部５０は、パネル材５ｂの周縁部を残して空洞とすることにより形成されているが、パネル材の一部を透光部材とすることにより、窓部を形成することもできる。具体的には、強化プラスチック、ガラス等を嵌め込み、窓部とすることが例示できる。また、これとは逆に、透明板にてパネル材を作製し、不透光のシートを貼付したり、不透光なインク、ペンキ等を塗布することにより、パネル材の一部を不透光とすることもできる。
【００２４】
水槽が装着された矩形枠に取り付けられるパネル材は、前後のパネル材のうち少なくとも一面が透視可能な窓部を有していることが好ましい。これにより、水槽が視認可能となる。
また、図２に示すように、水槽が装着される矩形枠４ｂに取り付けられたパネル（５ｂ、５ｂ’）は、少なくともいずれか一方の周縁部に、不透光性の周縁枠（５２、５２’）を設けたものであることが好ましい。
周縁枠を設けることによって、パネル枠を閉じた状態では、水槽に必要とされる電源、エアホース等の各種の配線、配管、照明具、並びに、水槽の上部及び／又は下部に設けられた水槽保持部材等を、外部から視認できないようにすることができ、美観に優れる間仕切装置とすることができるので好ましい。
周縁枠は、水槽を装着した矩形枠に取り付けられた前後のパネル材の少なくとも一方に設けられていればよいが、両面に周縁枠を設けることも好ましい。
また、周縁枠は、不透明材料で作製することもできるし、透明材料で作製したパネル材の一部に、不透光性のシートを貼付したり、不透光性のインク、ペンキ等を塗布することにより形成することもできる。
【００２５】
周縁枠の大きさは特に限定されず、水槽の透明部の大きさや、配管に必要とされる幅等に合わせて、適宜選択することができる。
また、周縁枠の強度の問題からは、周縁枠は５ｃｍ以上の幅を有していることが好ましく、より好ましくは５〜２０ｃｍ、さらに好ましくは５〜１５ｃｍである。
【００２６】
図２では、前面のパネル材の一側面は、支柱の矩形枠内側面部に、蝶番にて開閉可能に枢着されている。図２では、前面パネルの、パネルに向かって左側面が枢着されているが、これに限定されるものではない。例えばパネルの上部又は下部を開閉可能とすることもできる。また、左右の両側面に蝶番を形成し、両開きとすることもできる。
【００２７】
なお、間仕切装置の前後に取り付けられたパネル材のうち、少なくとも前又は後ろのいずれか一面のパネル材が開閉可能であることが好ましい。なお、前後の両面を開閉可能とすることもできる。
本発明において、少なくとも水槽を装着した矩形枠の前後の両面に取り付けられるパネル材の、少なくとも一面を開閉可能とすることが好ましい。さらに、水槽以外の周辺機器、貯水槽等を配置した矩形枠は、前後いずれかの面を開閉可能とすることが好ましい。
前面及び後面パネル材の少なくとも一面が開閉可能であることにより、水槽や周辺機器のメンテナンス（保守、点検）、備品の交換、排水処理等を簡易に行うことができるので好ましい。
【００２８】
なお、開閉を行わないパネル部材５ａ’〜５ｃ’は、いずれの方法により取り付けられていてもよく、公知の方法から適宜選択することができる。例えば、特開２０００７−１６５２５号公報に記載された方法が例示できる。具体的には、矩形枠内の上下面における後方に係止片を設けると共に、パネル材の上下端部に係合溝を設けて、この係合溝に前記係止片を係着させることにより、矩形枠にパネル材を取り付ける方法が例示できる。
【００２９】
図１〜図３では、３つの矩形枠が形成されているが、本発明は、複数の矩形枠が形成されていれば矩形枠の数は特に限定されるものではない。ただし、水槽を取り付ける矩形枠の上方及び下方に、少なくとも１つの矩形枠を有することが好ましく、この結果、少なくとも３つの矩形枠を有する間仕切装置であることが好ましい。
また、水槽を装着する矩形枠の位置は特に限定されるものではないが、上述の通り、少なくとも水槽を装着する矩形枠の上方及び下方に矩形枠を有するものであることが好ましい。したがって、少なくとも３つの矩形枠を有し、最上端及び最下端を除く枠内に水槽を設けることが好ましい。このように配置すると、水槽が装着された矩形枠よりも下方の矩形枠内に、排水用貯留槽を配置することができ、また、水槽が装着された矩形枠よりも上方の矩形枠内に、電源装置、ポンプ、配線等を収容することができるので好ましい。
【００３０】
なお、本発明において、間仕切装置に装着される水槽の数は、１つ以上であれば特に限定されず、間仕切装置内に２つ以上の水槽が装着されていてもよい。具体的には、矩形枠を上下方向に５つ形成し、その上部から数えて２番目及び４番目の矩形枠に水槽を装着することもできる。また、４つの矩形枠を形成し、その上部から数えて２番目及び３番目の矩形枠に水槽を装着することもできる。
また、１つの矩形枠内に、２つ以上の水槽を配置してもよい。
【００３１】
図８は、図１におけるII−II断面を表した本発明の一実施態様の間仕切装置の断面図である。
前述の通り、本発明は、連結杆及び支柱によって形成された矩形枠の少なくとも１つに、少なくとも片側が透明な２枚の板状体を水密に対向させた水槽を装着している。
図８及び図９を参照して、間仕切装置に水槽を装着する具体的一実施態様について説明する。図８（ａ）は、図１におけるII−II断面を表した本発明の一実施態様の間仕切装置の断面図である。図８（ｂ）は、図８（ａ）における一点鎖線円VIの拡大図である。また、図９は、水槽装着部下部の分解斜視図である。なお、図９において、水槽の構造については一部省略している。
【００３２】
図８に示すように、水槽６０は、水槽６０を装着する矩形枠４ｂの下方の中間連結杆２２ａ上に装着することが好ましい。
図８及び図９を参照すれば、中間連結杆２２ａ上には、断面上向きコ字形の受け材７２が固着されている。なお、中間連結杆２２ａと受け材７２とは、固着されていれば特に限定されず、溶接や接着剤、ネジ止めによる螺合など、公知の方法により固着することができる。
受け材７２の内部には、水槽固定部材７０が配置されている。水槽固定部材７０は、断面が上向きコ字形の部材であり、水槽を嵌入可能なように、受け材７２内に固着されている。水槽固定部材７０の固着の方法も特に限定されず、公知の方法から適宜選択することができる。水槽固定部材７０に水槽６０が嵌合可能なように、水槽６０のパネル前後方向の外部長さａと、水槽固定部材７０の前後方向の長さとはほぼ同一となっている。
図９では、水槽６０は、水槽固定部材７０に嵌入され、水槽下部が固定されている。
【００３３】
受け材７２は、箱形に形成されており、かつ、水槽の外部底面の大きさより、一回り大きくすることが好ましい。
すなわち、図９を参照すれば、受け材７２と水槽６０の間には、隙間ができるように、水槽６０の前後方向の外部長さａよりも、受け材７２の前後方向の内部長さｂを大きくすることが好ましい。同様に、受け材７２の左右方向の内部長さｂ’は、水槽６０の左右方向の外部長さａ’よりも大であることが好ましい。前後方向において、受け材７２の内部長さｂを水槽６０の外部長さａよりも大きくし、左右方向においても、受け材７２の左右方向の内部長さｂ’を水槽６０の左右方向の外部長さａ’よりも大きくすることによって、水槽６０から水が漏れた場合であっても、受け材７２に水を受けることができ、間仕切装置外に水が漏水することを抑制することができるので好ましい。
【００３４】
また、受け材７２の間仕切装置の前後方向の外部長さｂは、水槽が装着される矩形枠の下方の中間連結杆２２ａの前後方向の外部長さｃよりも、大きくすることが好ましい。また、中間連結杆２２ａの左右方向の幅ｃ’は、受け材７２の左右方向の幅ｂ’より大きい。
受け材７２の前後方向の外部長さｂを水槽下方の中間連結杆２２ａの前後方向の外部長さｃよりも大きくすることにより、水槽６０からの排水を一時貯留することができ、さらに受け材７２からの伝い漏れを防止することができるので好ましい。例えば、水槽６０から少量の水が漏れた場合であっても受け材７２に貯水することができるので好ましい。
【００３５】
施工においては、中間連結杆２２ａ、受け材７２及び水槽固定部材７０を、あらかじめ固着しておき、支柱２、２間に架設することもできるし、中間連結杆２２ａを支柱２、２間に架設後、受け材７２及び水槽固定部材７０を固着することもでき、施工順序は特に限定されるものではない。
【００３６】
なお、本発明はこれに限定されるものではなく、間仕切装置に水槽が装着されていれば特に限定されない。例えば、水槽が装着される矩形枠の上部の横連結杆から吊下することもできるし、水槽を保持するための保持部材を支柱間に架設して、水槽をその上部に載置してもよい。
ただし、施行現場において水槽を短時間で間仕切装置に組み付け可能な点から、水槽を装着する矩形枠の下部の横連結杆上に水槽を保持する態様が好ましい。
【００３７】
次に、水槽下部の矩形枠に設けられた排水貯留室について説明する。
図３において、水槽６０が装着された矩形枠４ｂの下部に位置する矩形枠４ａには、水受けボックス９２を収納し、排水貯留室９０としている。
図８及び図９を参照すれば、受け材７２には、貫通孔７４ａ〜７４ｃが設けられ、中間連結杆２２ａには、貫通孔７６ａ〜７６ｃが設けられている。貫通孔７４ａと７６ａ、貫通孔７４ｂと７６ｂ、貫通孔７４ｃと７６ｃは、組み立てられた状態で連通するように、位置を合わせて形成されている。
水槽６０から排水や漏水がある場合、水槽６０から外部へ排出された水は、受け材７２に設けられた貫通孔７４ａ〜７４ｃ及び中間連結杆２２ａに設けられた貫通孔７６ａ〜７６ｃを介して、下部に排水される。なお、図９において、水槽固定部材７０は、貫通孔７４ａと７４ｂの間、及び、貫通孔７４ｂと７４ｃの間に固定され、貫通孔を塞ぐことはない。
図３を参照すれば、貫通孔（不図示）の下部には、中間連結杆２２ａと水受けボックス９２との間に、左右の支柱２、２間を渡設した樋状の集水部材７８が設けられている。図３では、樋状の集水部材７８には漏斗状の排水路７９が設けられており、中間連結杆２２ａの下部に排出された水は、この排水路７９により水受けボックス９２に貯留される。
なお、本発明はこれに限定されるものではなく、樋状の集水部材をパネル左右方向の中央部で上向きＶ字となるように形成し、排水路を集水部材の左右中央部に設ける態様や、断面が上向きコ字形、上向きＵ字形又は上向きＶ字形の樋状に形成された板状部材を集水部材とし、左右のいずれかが下方となるように傾けて配置し、より下方となる右端又は左端に排水路を設けるなど、適宜選択することができる。
【００３８】
本発明において、水受けボックスは、水槽が破損した場合を想定し、少なくとも水槽の容量以上とすることが好ましい。水受けボックスの体積を必要かつ十分な大きさとする観点から、水槽の容量と同等とすることが好ましい。ここで、水槽の容量と同等であるとは、水槽の容量を１００とした場合、水受けボックスの容量が９０以上１２０以下であることを意味する。
【００３９】
水受けボックスの材質としては、耐水性の材質であれば特に限定されないが、鋼板や段ボールプラスチック等が例示できる。これらの中でも、水槽を施工現場まで搬送する場合の梱包材を箱形の段ボールプラスチックで作製し、施工現場で水槽を間仕切装置に装着した後に、梱包材として使用した箱形の段ボールプラスチック及び内装のポリエチレンフィルムを重ねて、水受けボックスとして使用することが好ましい。水槽の梱包材を水受けボックスとして使用することにより、新たに水受けボックスを搬入する必要がなく、また、これまで廃棄されていた水槽梱包材を水受けボックスとして有効に利用することができるので好ましい。また、この場合、水槽を梱包していたことから、水受けボックスの容量は水槽の容量以上となり、十分な容量を得ることができる点からも好ましい。
【００４０】
図８では、水受けボックス９２は、下部連結杆２１上に保持されているが、本発明はこれに限定されるものではなく、水受けボックスの保持用に支柱間を渡設して適宜形成した横連結杆上に保持することもできるし、水受けボックスの上部に設けられた横連結杆から吊持することもできる。
なお、水受けボックスが収納された排水貯留室は、水槽を装着した矩形枠よりも下方の矩形枠内に設置されていればよく、いずれの矩形枠内に設けることもできるが、排水路を短くする観点からは、水槽が装着された矩形枠の直下の矩形枠を排水貯留室とすることが好ましい。
【００４１】
次に、図８〜図１１を参照して、本発明において好適に使用される水槽について詳述する。
図１０は、図１におけるIII−III線断面図である。また、図１１は、水槽装着部上部の分解斜視図である。
本発明において、水槽は、少なくとも片側が透明な２枚の板状体を水密に対向させた水槽であれば特に限定されず、間仕切装置に装着可能な範囲で、適宜選択して使用することができる。
本発明において、水槽は、間仕切装置内に装着されることが好ましく、水槽の前後方向の外部長さ（図１０におけるａ）は、パネル材の外部厚さ（図１０におけるｄ）よりも小であることが好ましい。水槽の前後方向の外部長さを、パネル材の外部厚さよりも小とすることによって、パネル外に突出部を生じることなく、水槽を間仕切装置に装着可能であるので好ましい。
【００４２】
図８〜図１１を参照すれば、水槽６０は、少なくとも片側が透明な２枚の板状体６２、６２を水密に対向させて形成されている。２枚の対向する板状体６２、６２の周縁部は、スペーサ枠材６４及び６５を介して接着されている。スペーサ枠材６４は、水槽内向き断面コ字形の部材であり、スペーサ枠材６５は、水槽周縁方向に向いた断面コ字形の部材である。より周縁側に配置されたスペーサ枠材６５の外周側にはシーリング材６６が形成されている。
なお、本実施態様において、スペーサ枠材６４は任意の部材であり、水槽に必要とされる配管が外部から視認されないように、スペーサ枠材６４を設けることが好ましい。
また、板状体６２、６２の周縁部外側には、固定部材６７が嵌入されており、板状体６２、６２を外側から挟み込み、水槽６０内に水を入れた時に、水によって板状体６２、６２が外側へ広がろうとする力を抑制している。なお、固定部材は、水密される板状体の周縁部外側の一部に設けてもよい。短い固定部材を複数個設けることもできる。また、水密される辺の全体に固定部材を嵌入することもできる。
【００４３】
図８（ｂ）には、水槽の下部断面のみを示したが、図１０に示す通り、水槽６０の左右の両側面も同様にスペーサ枠材６４、６５を介して板状体６２、６２を水密に接着することができる。また、シーリング材６６及び固定部材６７も同様に形成することができる。
なお、スペーサ枠材６４及び６５と、板状体６２との間は、接着剤（不図示）により接着されている。接着剤は、スペーサ枠材と板状体とを接着する十分な接着力を有していれば特に限定されず、感圧接着剤、各種の合成有機接着剤を使用することができる。
【００４４】
また、スペーサ枠材６５の外周側には、シーリング材６６が形成されている。なお、図８（ｂ）において、シーリング材６６は、板状体６２、６２の端面の外周側まで形成されている。シーリング材を板状体の外周側まで形成することで、水密性が向上するので好ましい。ここで、シーリング材は公知のシーリング材から適宜選択して使用することができ、ポリマー系と、併用する充填材等との処方を適宜選択することが好ましい。
【００４５】
本発明において、水槽を形成している板状体の少なくとも片側は透明であり、板状体の材質や厚みは、必要とされる強度や性能（視認性、透光性等）に応じて適宜選択することができる。板状体の材質としては、無機ガラス、有機ガラス等が例示できる。
また、スペーサ枠材の形状は上記の形状に限定されないが、矩形及び断面コ字形であることが好ましい。スペーサ枠材の材質は、特に限定されないが、水槽に収容する液体を投下せず、収容する液体によって腐食されにくく、強度の高いものであることが好ましい。さらに、加工に適する材質であることが好ましく、具体的には金属、ガラス、樹脂等が例示できる。
【００４６】
次に、水槽の上部の構成について詳述する。
水槽本体の上部には、開口が形成されていることが好ましい。上部に開口を形成することによって、水槽内に水を導入したり、上部から照明を当てることができるので好ましい。水槽上部は何らの加工をせずに開口部とすることもできるし、前述の水槽下部と同様にスペーサ枠材、シーリング材で接着し、固定部材を嵌入した後、上部から貫通孔を形成して、開口部とすることもできる。
図８、図１０及び図１１を参照すれば、水槽６０の上部周縁には、上向きコ字形のスペーサ枠材８０が接着剤により固着されており、水槽６０の左右端部及び中央部にのみ、固定部材６７が嵌入されている。また、スペーサ枠材８０には、略小判状の開口部８２が形成されている。これにより、水槽本体に開口が形成されている。
【００４７】
さらに、水槽上部は、下向き断面コ字形の上部押さえ部材８４によって間仕切装置内に固定されている。ここで、図１１に示すように、上部押さえ部材８４にも左右方向に長孔が設けられている。なお、上部押さえ部材８４は、支柱間に架設される。上部抑え部材８４の両端に設けられた取付部８５にはねじ孔８６が穿設されており、支柱に設けられたねじ孔（不図示）に、止めねじを螺合することによって架設することができる。
また、水槽６０の上部の横連結杆（中間連結杆）２２ｂを断面下向きコ字形とし、横連結杆２２ｂ内に照明手段１０４を内蔵させることが好ましい。図１１では上部抑え部材８４の上方に、上向き断面コ字形の照明保持部材１０２を形成し、この内部に照明手段１０４として、ＬＥＤライトが載置されている。なお、中間連結杆２２ｂには、照明手段１０４への配線（電気配線等）を行うための貫通孔等を適宜設けることができる。
水槽上部の横連結杆と、水槽上部抑え部材で形成された空間内に照明手段の光が散光されることによって、前記長孔から水槽内に投光される。照明保持部材に設けられた長孔には、開口であってもよいし、透視性又は半透視性の部材で覆われていてもよい。
【００４８】
施工に際しては、中間連結杆２２ｂを架設後、照明手段を内部に収納した照明保持部材を中間連結杆に取り付けてもよく、また、あらかじめ照明手段及び照明保持部材を中間連結杆に取り付けた後、中間連結間を支柱間に架設してもよく、施行の順序は特に限定されない。また、照明保持手段の中間連結杆への取り付け方法は特に限定されるものではなく、接着、係止、螺合等、公知の方法から選択することができる。
また、上部抑え部材は、記述のように水槽を中間連結杆２２ａ上に保持させた後、水槽の上部に、上部抑え部材を載置し、上部抑え部材の両端を支柱に固着させることによって水槽上部を固定することができる。
【００４９】
水槽本体の上部は、開口を有することが好ましいが、水槽に形成した開口には、着脱自在な蓋部材を取り付けることが好ましい。また、該蓋部材は、光が散光する透光性のある材料で形成されていることが好ましい。蓋部材を取り付けることによって、水槽上部からの水のこぼれを防ぐとともに、水槽内部のメンテナンスが行え、水槽内に水生生物を飼育する場合には、餌やりを行うことができる。
水槽に取り付ける蓋部材は、特に限定されない。水槽内からの水のこぼれや、水の蒸発を防ぐ観点からは、水密性の高い構造であることが好ましい。具体的には、蓋部材を単に水槽上部に載置するのみではなく、留め具、係止具等を用いて蓋部材を水槽本体上部に固定することが例示できる。
【００５０】
本発明において、水槽を装着した矩形枠の上方の矩形枠内を電源供給部及び設備室とすることが好ましい。
本発明の間仕切装置に好ましく使用される、電源供給部、空気又は酸素供給手段、炭酸ガス供給手段等について以下に説明する。
本発明において、これらの手段は、間仕切装置外部から視認されないように配置することが好ましい。図３では、水槽６０が装着される矩形枠４ｂの上方の矩形枠４ｃ内に、エアポンプ９４が収納されている。また、天井から、矩形枠４ｃ内に、電気配線９５が導入されている。これにより、水槽を装着した矩形枠の上方の矩形枠内が電源供給部及び空気吹き込み手段であるエアポンプが配置された設備室となっている。
エアポンプから水槽に導入されているエアチューブ９６は、水槽の周縁部に配管され、間仕切装置の外部から視認されない。なお、図１０では、エアチューブ９６は、スペーサ枠材６４とスペーサ枠材６５により形成された空間に配管されることが好ましい。
【００５１】
また、本発明において、エアポンプ等の空気吹き込み手段は、相対湿度６０％以上の空気（以下、単に「加湿空気」ともいう。）を吸い込んで、この空気を水槽内の水に吹き込む空気吹き込み手段であることが好ましい。なお、吸い込む空気の温度と吹き込む空気の温度が異なると、その相対湿度は変化するが、吸い込む空気の相対湿度を規定している。
本発明において、水槽が完全に密閉されていない非密閉型水槽の場合には、エアポンプにより空気を吹き込むと、これに伴って水槽の水位の低下が生じる。加湿空気を吸い込んで、水槽内に吹き込むことによって、このような水位の低下を抑制することができる。
特に、間仕切装置に装着された水槽は、そのメンテナンス回数を減らすことが肝要である。水槽内の水位が低下すると、水を増やすために注水等が必要となり、メンテナンスが必要である。水位の低下を抑制することにより、メンテナンスの頻度を減らすことができるので好ましい。
加湿空気は、相対湿度８０％以上であることがより好ましく、９０％以上であることがさらに好ましく、９５％以上であることが特に好ましい。
【００５２】
具体的には、水槽が非密閉型蓋を有し、前記エアポンプが、空気吸排水槽内の水面と前記蓋との間にある空気を吸い込む一端と上記ポンプに接続された他端を有する空気吸い込み管、及び、上記ポンプに接続された一端と水槽内の水に空気を吹き込むための他端を有する空気吹き込み管を備えていることが好ましい。すなわち、水槽の水面と蓋の間の空間から空気を吸い込み、これを水槽内に吹き込む態様である。水槽の水面と蓋の間は、湿度が高く、水面と蓋の間から空気を吸い込み、これを水槽内に吹き込むことによって、水位の低下を抑制することができる。
【００５３】
また、吸排気ポンプが、空気吸い込む口及び空気吹き出し口を有する密閉タンク、前記密閉タンク内に配置され、空気排出口を備え、前記吸い込み口から吸い込んだ空気を該ポンプの前記排出口に排出するダイヤフラムポンプ、及び、前記空気排出口を前記吹き出し口に接続する手段を有することが好ましい。これは、密閉タンク内にダイヤフラムポンプを配置し、密閉タンク内に前記水槽の水面と蓋との間に存在する空気を吸い込み、ダイヤフラムポンプによって、密閉タンクから空気を排出する構成である。
ダイヤフラムポンプは、家庭用水槽用に広く市販されており、安価で簡便な装置である一方、空気の吸入は、ポンプの樹脂製筐体に設けられた通気口を通して行うことが多く、空気吸入口が管等に接続されていない。したがって、ダイヤフラムポンプ全体を密閉タンク内に収容し、密閉タンクに空気を吸い込むことが好ましい。また、ダイヤプラムポンプは空気排出口を備えているので、ダイヤプラムポンプの空気排出口から排出された空気は、密閉タンクが有する空気吹き出し口及び空気吹き出し管を介して、水槽内に吹き込まれる。
なお、ダイヤフラムポンプの通気口には、除塵フィルターが設けられていることが多い。樹脂製筐体に収容されている、このようなダイヤフラムポンプは、樹脂製筐体を取り除いてダイヤフラムポンプ本体のみを使用することもできる。
【００５４】
また、空気吹き込み管は、微細な穴を設け一端を閉じた泡発生装置の他端に接続されていてもよく、水槽内にほぼ垂直に配置された中空官の底部側の中空管内に空気を送り、発生した泡の上昇に伴って水槽本体内の水を循環する水循環装置に接続されていてもよい。
さらに、空気吸排ポンプと直列又は並列に加熱源及び／又は冷却源を吸排空気の通路に配列して、水槽内の水の温度調節をすることもできる。
【００５５】
図１０を参照すれば、水槽側面に設けられたスペーサ枠材６４とスペーサ枠材６５とにより形成された空間に配管を通すことにより、水槽外部から視認されることなく、エアチューブ９６を水槽６０の底部まで導入することができる。また、スペーサ枠材６４の水槽６０の底部近傍に、切り欠きを設け、底部のスペーサ枠材６４の上面に沿って配管することによって水槽６０の底部にエアチューブ９６を導入することができる。
なお、本発明において、水槽は非密閉型水槽に限定されるものではなく、密閉型水槽であってもよい。この場合にも、水槽の水面と水槽上面の間の空間から空気を吸い込み、これを水槽内に吹き込む態様を好ましく使用することができる。
【００５６】
本発明の間仕切装置は、その高さ（上下方向の長さ）が床から天井までの高さであることが好ましく、具体的には１，６００〜３，０００ｍｍが例示できる。設置される室内の床から天井までの距離に応じて、適宜選択することが好ましく、支柱の長さ及びパネルの大きさを適宜選択することで、間仕切装置の高さを調整することができる。
また、各室、各設置場所に応じた高さの微調整は、上記のアジャスタ装置により行うことが好ましい。
【００５７】
また、本発明の間仕切装置は、その幅（左右方向の長さ）を適宜選択することができ、特に限定されないが、一般的には６００〜３，０００ｍｍであることが好ましく、１，０００〜１，２００ｍｍであることがより好ましい。
間仕切装置の幅が上記範囲内であると、その部材の運搬及び間仕切装置の設置が容易であるので好ましい。また、耐久性に優れる水槽を設置可能であるので好ましい。
【００５８】
さらに、本発明の間仕切装置の厚み（前後両面のパネル材の外部厚さ）は、特に限定されないが、一般的には７０〜１００ｍｍであることが好ましく、より好ましくは７５〜８５ｍｍであり、さらに好ましくは約８０ｍｍである。また、水槽は、間仕切装置内に装着されることが好ましいことから、水槽外部の前後方向の幅は、上記間仕切装置の厚みよりも小さいことが好ましい。
間仕切装置の厚みが上記範囲内であると、耐久性に優れると共に、室内を狭くすることなく、室内空間を仕切ることができるので好ましい。
【図面の簡単な説明】
【００５９】
【図１】本発明の間仕切装置の一実施態様を示す斜視図である。
【図２】図１において、パネル材を取り外した状態を示す分解斜視図である。
【図３】本発明の間仕切装置の一実施態様を示す正面概念図である。
【図４】図１におけるＩ−Ｉ線断面図を示す。
【図５】図２における一点鎖線円IV部分の拡大組立断面図である。
【図６】図２における一点鎖線円IV部分の拡大分解斜視図である。
【図７】図２における一点鎖線円Ｖ部分の拡大分解斜視図である。
【図８】（ａ）は、図１におけるII−II断面を表した本発明の一実施態様の間仕切装置の断面図である。（ｂ）は、（ａ）における一点鎖線円VIの拡大図である。
【図９】水槽装着部下部の分解斜視図である。
【図１０】図１におけるIII−III線断面図である。
【図１１】水槽装着部上部の分解斜視図である。
【符号の説明】
【００６０】
１    間仕切装置
２    支柱
２ａ    切欠部
３    横連結杆
４    矩形枠
４ａ    最下段の矩形枠
４ｂ    中央の矩形枠
４ｃ    最上段の矩形枠
５    パネル材
６    床面
７    第１アジャスタ装置
８    天井
９    第２アジャスタ装置
１０    ベース部材
１０ａ    係合凸部
１０ｂ    カバー部材
１１    脚座
１２    アジャスタボルト
１３    受け具
１４    通孔
１５    雄ねじ部
１６    操作部
１７    取付軸部
１８    受板
１８ａ    ねじ孔
１８ｂ    ねじ孔
１９    支持部
１９ａ    天板
１９ｂ    ねじ孔
２０    上部連結杆
２１    下部連結杆
２２    中間連結杆
２３    係止片
２４    係合片
２６    横連結片
２７    止めねじ
２８    通孔
２９    チャネル材
３３    取付金具
３４    ねじ孔
３５    止めねじ
３６    通孔
３７    止めねじ
３８    通孔
３９    ねじ孔
５０、５０’    窓部
５２、５２’    周縁部
６０  水槽
６２  板状体
６４  スペーサ枠材
６５  スペーサ枠材
６６  シーリング材
６７  固定部材
７０  水槽固定部材
７２  受け材
７４  貫通孔
７６  貫通孔
７８  集水部材
７９  排水路
８０  スペーサ枠材
８２  開口部
８４  上部押さえ部材
８５  取付部
８６  ねじ孔
９０  排水貯留室
９２  水受けボックス
９４  エアポンプ
９５  電気配線
９６  エアチューブ
１０２  照明保持部材
１０４  照明手段
【図１】
0005159297.tif 000002
【図２】
0005159297.tif 000003
【図３】
0005159297.tif 000004
【図４】
0005159297.tif 000005
【図５】
0005159297.tif 000006
【図６】
0005159297.tif 000007
【図７】
0005159297.tif 000008
【図８】
0005159297.tif 000009
【図９】
0005159297.tif 000010
【図１０】
0005159297.tif 000011
【図１１】
0005159297.tif 000012